(57)【要約】【課題】船内のあらゆる場所から船内機器を制御することができる船舶用制御装置を提供する。【解決手段】船舶用制御装置１０は、電源ラインＬに接続され該電源ラインＬを介して制御可能な船内機器２を制御するためのものであって、携帯可能且つ電源ラインＬのコンセントＣに差込み可能に構成されたキープラグＰを備えている。この船舶用制御装置１０では、例えば船内の既設のコンセントＣの何れかにキープラグＰが差し込まれると、このキープラグＰから船内機器２に対し所定動作させる指令が電源ラインＬを介してなされることになる。【選択図】図１
2010254133.tif 000002
【特許請求の範囲】
【請求項１】
電源ラインに接続され該電源ラインを介して制御可能な船内機器を制御するための船舶用制御装置であって、
携帯可能且つ前記電源ラインのコンセントに差込み可能に構成され、前記船内機器に対し所定動作を行うよう前記電源ラインを介して指令する指令手段を備えたことを特徴とする船舶用制御装置。
【請求項２】
前記指令手段は、キープラグであることを特徴とする請求項１記載の船舶用制御装置。
【請求項３】
前記キープラグは、前記所定動作を設定するためのコマンドスイッチを有することを特徴とする請求項２記載の船舶用制御装置。
【請求項４】
前記指令手段は、前記船内機器の状態を確認するための確認部を有することを特徴とする請求項１〜３の何れか一項記載の船舶用制御装置。
【請求項５】
前記船内機器は、船舶の推進に関する推進機器、及び発電に関する発電機器の少なくとも一方を含み、
前記指令手段は、前記推進機器及び前記発電機器の少なくとも一方に対し、機能停止又は機能制限するよう前記電源ラインを介して指令することを特徴とする請求項１〜４の何れか一項記載の船舶用制御装置。
【請求項６】
前記船内機器は、外部との通信を行う通信機器を含み、
前記指令手段は、前記通信機器に対し、所定メッセージを外部へ送信するよう前記電源ラインを介して指令することを特徴とする請求項１〜５の何れか一項記載の船舶用制御装置。
【請求項７】
前記船内機器は、船員の注意を喚起させる船内警報機器を含み、
前記指令手段は、前記船内警報機器に対し、作動するよう前記電源ラインを介して指令することを特徴とする請求項１〜６の何れか一項記載の船舶用制御装置。
【請求項８】
前記船内機器は、船舶における主要区画の扉の開閉を制御する扉開閉制御機器を含み、
前記指令手段は、前記扉開閉制御機器に対し、前記扉を閉状態にするよう前記電源ラインを介して指令することを特徴とする請求項１〜７の何れか一項記載の船舶用制御装置。
【発明の詳細な説明】
【技術分野】
【０００１】
本発明は、例えば非常時又は緊急時において、電源ラインに接続され該電源ラインを介して制御可能な船内機器を制御するための船舶用制御装置に関する。
【背景技術】
【０００２】
従来の船舶用制御装置としては、例えば特許文献１に記載されたものが知られている。このような船舶用制御装置では、船内機器に設けられたコンソールパネルや監視制御室に設置された監視制御装置において船内機器が操作され制御される。
【先行技術文献】
【特許文献】
【０００３】
【特許文献１】特開２００５−３４９９０３号公報
【発明の概要】
【発明が解決しようとする課題】
【０００４】
しかし、上述したような船舶用制御装置では、例えば非常時又は緊急時に船内機器をすぐに停止させたい場合でも、その船内機器が設置された場所や監視制御室に出向き、かかる場所にて操作を行わなければならないという不都合がある。特に海賊に侵入された場合等には、船内機器を一刻も早く機能停止等する必要があることから、かかる不都合は顕著となる。
【０００５】
そこで、本発明は、船内のあらゆる場所から船内機器を制御することができる船舶用制御装置を提供することを課題とする。
【課題を解決するための手段】
【０００６】
上記課題を解決するため、本発明に係る船舶用制御装置は、電源ラインに接続され該電源ラインを介して制御可能な船内機器を制御するための船舶用制御装置であって、携帯可能且つ電源ラインのコンセントに差込み可能に構成され、船内機器に対し所定動作するよう電源ラインを介して指令する指令手段を備えたことを特徴とする。
【０００７】
この船舶用制御装置では、例えば、船内のあらゆる場所に既設のコンセントの何れかに指令手段が差し込まれると、この指令手段から船内機器に対して所定動作させる指令が電源ラインを介してなされることになる。つまり、本発明によれば、船内のあらゆる場所から船内機器を制御することが可能となる。
【０００８】
ここで、指令手段は、キープラグであることが好ましい。この場合、指令手段のハンドリング性（携帯性）を高めることができる。
【０００９】
また、キープラグは、所定動作を設定するためのコマンドスイッチを有することが好ましい。この場合、コマンドスイッチを適宜設定することで、１つのキープラグで種々の動作を指令することができる。
【００１０】
また、指令手段は、船内機器の状態を確認するための確認部を有することが好ましい。この場合、確認部によって指令対象の船内機器の状態を確認することで、例えば指令手段の指令による所定動作が実行されたか否かを確認することが可能となる。
【００１１】
また、船内機器は、船舶の推進に関する推進機器、及び発電に関する発電機器の少なくとも一方を含み、指令手段は、推進機器及び発電機器の少なくとも一方に対し、機能停止又は機能制限するよう電源ラインを介して指令することが好ましい。この場合、例えば、侵入した海賊によって船舶が移動させられるのを抑制することができる。
【００１２】
また、船内機器は、外部との通信を行う通信機器を含み、指令手段は、通信機器に対し、所定メッセージを外部へ送信するよう電源ラインを介して指令することが好ましい。この場合、例えば非常時における外部への迅速な通報が可能となる。
【００１３】
また、船内機器は、船員の注意を喚起させる船内警報機器を含み、指令手段は、船内警報機器に対し、作動するよう電源ラインを介して指令することが好ましい。この場合、例えば非常時における船員への迅速な注意喚起が可能となる。
【００１４】
また、船内機器は、船舶における主要区画の扉の開閉を制御する扉開閉制御機器を含み、指令手段は、扉開閉制御機器に対し、扉を閉状態にするよう電源ラインを介して指令することが好ましい。この場合、例えば、海賊を船舶に侵入させない又は侵入した海賊を閉じ込めることが可能となる。
【発明の効果】
【００１５】
本発明によれば、船内のあらゆる場所から船内機器を制御することが可能となる。
【図面の簡単な説明】
【００１６】
【図１】本発明の一実施形態に係る船舶用制御装置を示す概略構成図である。
【図２】（ａ）は図１の船舶用制御装置におけるキープラグを示す概略平面図であり、（ｂ）は図１の船舶用制御装置におけるキープラグを示す概略側面図である。
【発明を実施するための形態】
【００１７】
以下、添付図面を参照して、本発明の好適な実施形態について詳細に説明する。なお、以下の説明において、同一又は相当要素には同一符号を付し、重複する説明を省略する。
【００１８】
まず、本発明の一実施形態について説明する。図１は本発明の一実施形態に係る船舶用制御装置を示す概略構成図、図２は図１の船舶用制御装置におけるキープラグを示す概略図である。図１に示すように、船舶用制御装置１０は、船舶１に搭載され、例えば非常時又は緊急時にて電源ラインＬに接続された船内機器２を制御するためのものである。ここでの船舶用制御装置１０は、海賊が船舶１に侵入したとき、その海賊対策として船内機器２を制御する。
【００１９】
電源ラインＬは、船舶１において電力を給配電するための既設の電力線である。船内機器２は、電源ラインＬのコンセントＣに接続され、電源ラインＬから電力が供給されると共に、該電源ラインＬを介して制御可能とされている。この船内機器２は、船舶１の主要機器として、船舶１の推進に関する推進機器３と船舶１の発電に関する発電機（発電機器）４とを有している。推進機器３は、エンジン等の主機３ａ、ボイラ等の補機３ｂ、及び操舵のための舵取機３ｃを含んでいる。発電機４は、船内にて電力を供給する電力源である。
【００２０】
また、船内機器２は、外部との通信を行う保安用通信機器としての無線機（ＳＳＡＳ：Ship Security alert System）５と、船員の注意を喚起させる船内警報機（船内警報機器）６と、船舶１における主要区画の扉（ハッチ）の開閉を制御する扉開閉コントローラ（扉開閉制御機器）７と、を有している。無線機５としては、種々のものが用いられ、例えば衛星を利用して通信を行う衛星通信機が用いられている。船内警報機６としては、例えばスピーカーや警報ブザーが用いられている。
【００２１】
ここで、船舶用制御装置１０にあっては、船内機器２に対し予め決められた所定動作（詳しくは後述）を行うよう電源ラインＬを介して指令する指令手段として、キープラグＰを備えている。キープラグＰは、電源ＬＡＮ用の通信装置であって、通常の電気プラグ（電気的接続用端子部品）と同様な外形形状を呈しており、携帯可能且つコンセントＣに差込み可能に構成されている。
【００２２】
具体的には、このキープラグＰは、図２に示すように、コンセントＣに挿入される一対の端子部１１と、例えばＣＰＵ、ＲＯＭ、及びＲＡＭ等で構成されたＥＣＵ（Electronic Control Unit）を含む本体部１２と、を含んで構成されている。本体部１２には、その識別子として所定のＩＰアドレスが組み込まれている。また、この本体部１２には、コマンドスイッチ１３及びＬＥＤランプ（確認部）１４が設けられている。
【００２３】
コマンドスイッチ１３は、各船内機器２に対する上記指令の所定動作を設定するためのものとして、各船内機器２に対応して設けられた複数のディップスイッチ１３ａを含んでいる。ここでのディップスイッチ１３ａは、ＯＮ／ＯＦＦをスライドさせて切り替えるスライドタイプとされている。これにより、キープラグＰでは、コマンドスイッチ１３のスイッチ状態によって、指令においての所定動作が設定されることになる。
【００２４】
ＬＥＤランプ１４は、指令対象の船内機器２の状態（ステータス）を確認するためのものである。ここでは、ＬＥＤランプ１４は、指令対象の各船内機器２からの応答のそれぞれに応じて点灯することで、指令対象の各船内機器２に指令が伝わったことを報知する。
【００２５】
以上のように構成された船舶用制御装置１０では、例えば海賊に襲撃され侵入された場合等の非常時又は緊急時にて、船舶１内に設けられた複数のコンセントＣのうち何れかのコンセントＣにキープラグＰが船員によって差し込まれたとき、以下の動作が実行される。
【００２６】
すなわち、コンセントＣに差し込まれたキープラグＰから、各船内機器２に対し所定動作させる指令が電源ラインＬを介して出力される。具体的には、差し込まれたキープラグＰのＩＰアドレスが各船内機器２にて検知され、コマンドスイッチ１３のスイッチ状態が各船内機器２にて検知され、そして、各船内機器２においてコマンドスイッチ１３のスイッチ状態に応じた所定動作が実行される。
【００２７】
例えば、主機３ａ、補機３ｂ及び発電機４では、その機能が非常停止される。舵取機３ｃでは、舵取り操作がロックされる。無線機５では、予め組み込まれたＳＯＳメッセージ等の緊急メッセージ（所定メッセージ）が、管理会社や海上保安庁等の主管庁へ自動送信される。船内警報機６では、自動作動されて緊急に非難する旨の放送や警告音等が出力される。扉開閉コントローラ７では、主要区画へ入出する扉が閉状態に（ロック）されるよう制御される。
【００２８】
これと共に、指令の入力に伴う応答が、各船内機器２からキープラグＰへ出力される。これにより、キープラグＰでは、かかる応答がなされた船内機器２に対応するＬＥＤランプ１４が点灯される。
【００２９】
なお、キープラグＰによる指令を解除（つまり、船内機器２の機能を復帰）する場合には、例えばキープラグＰをコンセントＣから引き抜いたり、各船内機器２にてパスワードを入力したり、コマンドスイッチ１３で解除指令を設定したキープラグＰをコンセントＣに差し直したり等することで実現される。
【００３０】
以上、本実施形態の船舶用制御装置１０では、例えば、船内のあらゆる場所に既設のコンセントＣの何れかにキープラグＰを差し込むだけで、所定動作させる指令が電源ラインＬを介してキープラグＰから船内機器２へと出力される。すなわち、コンセントＣに差し込まれたキープラグＰは、船内機器２に対し所定動作を行うよう電源ラインＬを介して指令することになる。よって、本実施形態では、電源ＬＡＮを利用し、船内のあらゆる場所から船内機器２を容易且つ簡易に制御することが可能となる。
【００３１】
その結果、例えば船舶１が海賊に侵入された非常時にて、その対応を容易且つ迅速に行うことができる。つまり、本実施形態は、近年特に問題視されている海賊対策の解決策の１つであり、その効果は有効なものといえる。また、本実施形態では別途の配線が不要であり、よって、本実施形態は既存の船舶に対しても比較的容易に装備できるものといえる。
【００３２】
ところで、従来の船舶用制御装置は固定設備であることから、例えば侵入した海賊に発見され易いというおそれがある。この点、本実施形態では、操作位置が限定されないため、海賊に発見され難く、隠蔽する必要性が低減されることになる。
【００３３】
また、本実施形態は、上述したように、ポータプル性が高いキープラグＰを指令手段として備えている。よって、ハンドリング性（携帯性）を高めることができ、且つコンセントＣに差し込むだけで各船内機器２に指令を出力することができる。
【００３４】
また、本実施形態のキープラグＰは、上述したように、所定動作を設定するためのコマンドスイッチ１３を有している。よって、コマンドスイッチ１３を適宜設定することで、１つのキープラグＰで種々の動作を指令することができる。
【００３５】
また、本実施形態のキープラグＰは、上述したように、船内機器２の状態を確認するためのＬＥＤランプ１４を有している。そのため、各船内機器２に対応する各ＬＥＤランプ１４が点灯しているか否かを確認することで、キープラグＰの指令による所定動作が船内機器２のそれぞれで実行されたか否かを確認することができる。
【００３６】
また、本実施形態では、キープラグＰが差し込まれると、上述したように、主機３ａ及び補機３ｂに対し機能停止させる指令がなされ、舵取機３ｃに対し舵取り操作をロックさせる指令がなされ、発電機４に対し機能停止させる指令がなされている。そのため、例えば侵入した海賊によって船舶が推進（移動）させられるのを抑制することができる。
【００３７】
さらに、本実施形態では、キープラグＰが差し込まれると、上述したように、無線機５に対し所定メッセージを外部へ自動送信させる指令がなされるため、例えば非常時において外部へ迅速に通報することが可能となると共に、船内警報機６に対し自動作動させる指令がなされるため、例えば非常時における船員への迅速な注意喚起が可能となる。
【００３８】
さらにまた、本実施形態では、キープラグＰが差し込まれると、上述したように、扉開閉コントローラ７に対し扉を閉状態にさせる指令がなされるため、例えば海賊を船舶１に侵入させない又は侵入した海賊を船舶１内に閉じ込めることが可能となる。
【００３９】
以上、本発明の好適な実施形態について説明したが、本発明に係る船舶用制御装置は、実施形態に係る上記船舶用制御装置１０に限られるものではなく、各請求項に記載した要旨を変更しない範囲で変形し、又は他のものに適用したものであってもよい。
【００４０】
例えば上記実施形態では、コマンドスイッチ１３がスライドタイプのディップスイッチ１３ａを複数含んでいるが、数字の刻印に合わせることで出力コードを切り替えるロータリータイプのディップスイッチを複数含んでいても勿論よい。
【００４１】
また、指令手段（キープラグＰ）によっての船内機器２に対する指令は、上述したものに限定されるものではない。指令手段は、船内機器２が機能停止（Shut Down）するよう指令してもよいし、機能が低下（Slow Down）するよう指令してもよいし、機能を制限するよう指令してもよい。
【００４２】
また、上記実施形態では、コマンドスイッチ１３のスイッチ状態によって指令における所定動作を設定したが、例えば船内機器２が所定動作を行うよう本体部１２の上記ＲＯＭ又は上記ＲＡＭに該所定動作に関する情報を予め格納してもよい。この場合、コマンドスイッチ１３は不要となる。
【００４３】
また、上記実施形態では、コンセントＣにキープラグＰが差し込まれたときに上記動作が実行されるが、キープラグＰに設けられた送信ボタンが押されたときに上記動作が実行されてもよい。
【符号の説明】
【００４４】
１…船舶、２…船内機器、３…推進機器、３ａ…主機（推進機器）、３ｂ…補機（推進機器）、３ｃ…舵取機（推進機器）、４…発電機（発電機器）、５…無線機（通信機器）、６…船内警報機（船内警報機器）、７…扉開閉コントローラ（扉開閉制御機器）、１０…船舶用制御装置、１３…コマンドスイッチ、１４…ＬＥＤランプ（確認部）、Ｃ…コンセント、Ｌ…電源ライン、Ｐ…キープラグ（指令手段）。
【図１】
2010254133.tif 000003
【図２】
2010254133.tif 000004